【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
電気光学装置の走査線及びデータ線により特定される画素電極と電気光学物質を挟んで対向するコモン電極に印加されるコモン電圧を生成するためのコモン電圧生成回路であって、
第１の電源電圧を基準に前記コモン電圧の振幅電圧を出力する第１の演算増幅器と、
前記第１の電源電圧を基準に前記コモン電圧の高電位側電圧を出力する第２の演算増幅器と、
一端に第１の電圧が供給されるバックアップコンデンサの他端に、前記高電位側電圧を基準に前記振幅電圧だけ低電位の前記コモン電圧の低電位側電圧をチャージポンプ動作により生成して供給する低電位側電圧生成回路とを含み、
前記高電位側電圧又は前記低電位側電圧を、前記コモン電極に供給することを特徴とするコモン電圧生成回路。
【請求項２】
請求項１において、
前記低電位側電圧生成回路が、
直列に接続された第１及び第２のスイッチ素子と、
直列に接続された第３及び第４のスイッチ素子とを含み、
前記第１のスイッチ素子の一端に、前記振幅電圧が供給され、
前記第２のスイッチ素子の一端に、前記高電位側電圧が供給され、
前記第３のスイッチ素子の一端に、前記第１の電源電圧が供給され、
バックアップコンデンサの一端に、前記第１の電源電圧が供給され、
第１の期間では、前記第１のスイッチ素子がオン、前記第２のスイッチ素子がオフとなってフライングコンデンサの一端に前記振幅電圧を供給すると共に、前記第３のスイッチ素子がオン、前記第４のスイッチ素子がオフし、
前記第１の期間に続く第２の期間では、前記第１のスイッチ素子がオフ、前記第２のスイッチ素子がオンとなって前記フライングコンデンサの一端に前記高電位側電圧を供給すると共に、前記第３のスイッチ素子がオフ、前記第４のスイッチ素子がオンとなって前記バックアップコンデンサの他端に、前記フライングコンデンサの他端の電圧を供給することを特徴とするコモン電圧生成回路。
【請求項３】
請求項２において、
前記第１及び第２のスイッチ素子はＭＯＳトランジスタであり、前記第１及び第２のスイッチ素子を構成するＭＯＳトランジスタのゲート電圧の振幅が、前記振幅電圧と前記高電位側電圧との間の電圧差より大きく、
前記第３及び第４のスイッチ素子はＭＯＳトランジスタであり、前記第３及び第４のスイッチ素子を構成するＭＯＳトランジスタのゲート電圧の振幅が、前記第１の電源電圧と前記低電位側電圧との間の電圧差より大きいことを特徴とするコモン電圧生成回路。
【請求項４】
請求項３において、
前記第１〜第４のスイッチ素子を構成するＭＯＳトランジスタのゲート電圧の振幅が、
前記走査線に印加される走査電圧の振幅と同じであることを特徴とするコモン電圧生成回路。
【請求項５】
請求項１乃至４のいずれかにおいて、
前記第２の演算増幅器が、
ボルテージフォロワ接続された演算増幅器であり、ｎチャネル型駆動トランジスタによりその出力が駆動され、
前記振幅電圧が、前記高電位側電圧より高い電位であることを特徴とするコモン電圧生成回路。
【請求項６】
請求項５において、
前記第２の演算増幅器が、
第２の差動部と第２の駆動部とを含み、ボルテージフォロワ接続することにより形成され、
前記第２の駆動部が、
一端が第２の電源電圧側に接続され他端が前記第２の演算増幅器の出力側に接続された電流源と、
一端が前記第１の電源電圧側に接続され他端が前記第２の演算増幅器の出力側に接続されたｎチャネル型駆動トランジスタとを含むことを特徴とするコモン電圧生成回路。
【請求項７】
請求項１乃至５のいずれかにおいて、
前記第１の演算増幅器が、
ボルテージフォロワ接続された演算増幅器であり、ｐチャネル型駆動トランジスタによりその出力が駆動されることを特徴とするコモン電圧生成回路。
【請求項８】
請求項７において、
前記第１の演算増幅器が、
第１の差動部と第１の駆動部とを含み、ボルテージフォロワ接続することにより形成され、
前記第１の駆動部が、
一端が第２の電源電圧側に接続され他端が前記第１の演算増幅器の出力側に接続されたｐチャネル型駆動トランジスタと、
一端が前記第１の電源電圧側に接続され他端が前記第１の演算増幅器の出力側に接続された電流源とを含むことを特徴とするコモン電圧生成回路。
【請求項９】
請求項６において、
前記第１の演算増幅器が、
ボルテージフォロワ接続された演算増幅器であり、ｐチャネル型駆動トランジスタによりその出力が駆動されることを特徴とするコモン電圧生成回路。
【請求項１０】
請求項９において、
前記第１の演算増幅器が、
第１の差動部と第１の駆動部とを含み、ボルテージフォロワ接続することにより形成され、
前記第１の駆動部が、
一端が前記第２の電源電圧側に接続され他端が前記第１の演算増幅器の出力側に接続されたｐチャネル型駆動トランジスタと、
一端が前記第１の電源電圧側に接続され他端が前記第１の演算増幅器の出力側に接続された電流源とを含むことを特徴とするコモン電圧生成回路。
【請求項１１】
請求項１乃至１０のいずれかにおいて、
一端に前記高電位側電圧が供給される第１の出力トランジスタと、
一端に前記低電位側電圧が供給される第２の出力トランジスタとを含み、
前記第１の出力トランジスタの他端と前記第２の出力トランジスタの他端とが接続され、
前記第１及び第２の出力トランジスタのゲート電圧の振幅が、それぞれ前記高電位側電圧と前記低電位側電圧との間の電圧差より大きいことを特徴とするコモン電圧生成回路。
【請求項１２】
請求項１１において、
前記第１及び第２の出力トランジスタのゲート電圧の振幅が、
前記走査線に印加される走査電圧の振幅と同じであることを特徴とするコモン電圧生成回路。
【請求項１３】
請求項１乃至１２のいずれかにおいて、
前記高電位側電圧を前記コモン電極に供給する期間及び前記低電位側電圧を前記コモン電極に供給する期間のうち、前記低電位側電圧を前記コモン電極に供給する期間において前記チャージポンプ動作を行うためのチャージクロックの周波数を設定するためのチャージクロック設定レジスタを含み、
前記高電位側電圧を前記コモン電極に供給する期間では、前記チャージクロック設定レジスタの設定値にかかわらず、所定の周波数のチャージクロックに基づいてチャージポンプ動作を行い、
前記低電位側電圧を前記コモン電極に供給する期間では、前記チャージクロック設定レジスタの設定値に対応した周波数のチャージクロックに基づいて前記チャージポンプ動作を行うことを特徴とするコモン電圧生成回路。
【請求項１４】
請求項１乃至１３のいずれか記載のコモン電圧生成回路を含むことを特徴とする電源回路。
【請求項１５】
複数の走査線及び複数のデータ線を含む電気光学装置の電源供給を行うための電源回路であって、
請求項１乃至１３のいずれか記載のコモン電圧生成回路と、
前記走査線の走査電圧を生成すると共に、前記走査電圧の高電位側電圧及び低電位側電圧を前記コモン電圧生成回路に供給する走査電圧生成回路とを含むことを特徴とする電源回路。
【請求項１６】
複数の走査線及び複数のデータ線を含む電気光学装置を駆動するための表示ドライバであって、
請求項１５記載の電源回路と、
前記走査電圧を用いて、前記走査線を駆動する走査線駆動回路を含むことを特徴とする表示ドライバ。
【請求項１７】
請求項１６において、
表示データに基づいて、前記データ線を駆動するデータ線駆動回路を含むことを特徴とする表示ドライバ。
【請求項１８】
複数の走査線及び複数のデータ線を含む電気光学装置を駆動するための表示ドライバであって、
請求項１４記載の電源回路と、
表示データに基づいて、前記データ線を駆動するデータ線駆動回路を含むことを特徴とする表示ドライバ。
【請求項１９】
請求項１乃至１３のいずれか記載のコモン電圧生成回路を含み、該コモン電圧生成回路によって生成されたコモン電圧を用いて液晶表示を行うことを特徴とする表示装置。
【手続補正２】
【補正対象書類名】明細書
【補正対象項目名】発明の名称
【補正方法】変更
【補正の内容】
【発明の名称】コモン電圧生成回路、電源回路、表示ドライバ及び表示装置
【手続補正３】
【補正対象書類名】明細書
【補正対象項目名】０００１
【補正方法】変更
【補正の内容】
【０００１】
本発明は、コモン電圧生成回路、電源回路、表示ドライバ及び表示装置に関する。
【手続補正４】
【補正対象書類名】明細書
【補正対象項目名】０００８
【補正方法】変更
【補正の内容】
【０００８】
本発明は、以上のような技術的課題に鑑みてなされたものであり、その目的とするところは、低消費電力で、コモン電圧を生成できるコモン電圧生成回路、電源回路、表示ドライバ及び表示装置を提供することにある。
【手続補正５】
【補正対象書類名】明細書
【補正対象項目名】０００９
【補正方法】変更
【補正の内容】
【０００９】
また本発明の第２の目的は、コモン電極の負荷が大きい場合であっても、低消費電力で安定したコモン電圧を生成できるコモン電圧生成回路、電源回路、表示ドライバ及び表示装置を提供することにある。